(57)【要約】      （修正有）【課題】強度が強く、開閉構造を簡素化でき、取り扱いが容易であり、外観の見栄えが美しい回転式ろうそく立て及び回転式ろうそく立てを有する香炉並びに墓を提供する。【解決手段】ろうそくまたは線香を設置する筒状本体部１５０と、墓用の石を用いて形成し、筒状本体部１５０を収納する。上部１１１及び下部１１２にそれぞれ穴１１３，１１４を有する筐体と、筒状本体部の一方に形成された第１の開口部１１６と、第１の開口部の対面に形成された第２の開口部１１７と、筒状本体部の上面及び下面にそれぞれ固定される固定部材１４２，１４３，１４４を有する円板１４１と、筐体の穴にそれぞれ設置される軸受１４５と、軸受１４５に円板１４１を固定する留め具１４６と、を備えて回転式ろうそく立てを構成する。【選択図】図３
0003154124.tif 000002
【実用新案登録請求の範囲】
【請求項１】
ろうそくまたは線香を設置する筒状本体部と、
墓用の石を用いて形成され、前記筒状本体部を収納し、上部及び下部にそれぞれ穴を有する筐体と、
前記筒状本体部の一方に形成された第１の開口部と、
前記第１の開口部の対面に形成された第２の開口部と、
前記筒状本体部の上面及び下面にそれぞれ固定される固定部材を有する円板と、
前記筐体の前記穴にそれぞれ設置される軸受と、
前記軸受に前記円板を固定する留め具と、
を備えることを特徴とする回転式ろうそく立て。
【請求項２】
前記軸受けの凹部に前記留め具が挿入され、前記軸受の凹部で前記留め具が回転することにより、前記筒状本体部が回転することを特徴とする請求項１に回転式ろうそく立て。
【請求項３】
前記穴で前記軸受が回転することにより、前記筒状本体部が回転することを特徴とする請求項１又は２に回転式ろうそく立て。
【請求項４】
前記円板はステンレスで形成され、らせん状の溝を有することを特徴とする請求項１に記載の回転式ろうそく立て。
【請求項５】
前記円板は前記固定部材を複数有し、前記固定部材が前記筒状本体部の内側に配置されることによって、前記円板を前記筒状本体部に固定することを特徴とする請求項１に記載の回転式ろうそく立て。
【請求項６】
前記筒状本体部の前記第１の開口部からろうそくまたは線香を設置し、前記第２の開口部に空気穴としての所望の模様が形成されること特徴とする請求項１乃至請求項５のいずれかに記載の回転式ろうそく立て。
【請求項７】
請求項１乃至請求項６のいずれかに記載の回転式ろうそく立てを備えたことを特徴とする香炉。
【請求項８】
請求項１乃至請求項６のいずれかに記載の前記回転式ろうそく立てと請求項７に記載の前記香炉とを備えたことを特徴とする墓。
【考案の詳細な説明】
【技術分野】
【０００１】
本考案は、回転式ろうそく立て及び回転式ろうそく立てを有する香炉並びに墓に関し、特に、開閉構造を簡素化する回転式ろうそく立て及び回転式ろうそく立てを有する香炉並びに墓に関する。
【背景技術】
【０００２】
従来の墓用ろうそく立てには、ろうそく立て専用のものが広く使用されている。このろうそく立ては、ろうそくの火を見やすくするため、合成樹脂を用いて開閉扉を設置している。しかし、合成樹脂を用いて開閉扉を設置した場合、ろうそくの火により、合成樹脂の開閉扉が溶けてしまう問題がある。
【０００３】
また、香炉とろうそく立てが一体となったものを使用する場合がある。この場合、別々に形成した合成樹脂の開閉扉を有するろうそく立てを香炉に接着する必要があること、ろうそく立てと香炉とを別々に製造するため、外観の見栄えが悪くなってしまうことなどの問題があった。
【０００４】
ここで、特許文献１には、墓石用ロウソク立て付き香炉箱について開示されている。具体的に特許文献１は、納骨する香炉箱の前後に開閉扉があり、開閉扉の左右にロウソク立てが別途接着されている。この特許文献１は、墓石が完成した後に納骨が容易にできるという特徴がある。
【０００５】
しかし、特許文献１に記載の墓石用ロウソク立て付き香炉箱は、合成樹脂の開閉扉を有するろうそく立てを別に香炉箱に接着する必要があり、ろうそく立ての強度が弱くなってしまうこと、外観の見栄えが悪くなってしまうなどの問題があった。
【先行技術文献】
【特許文献】
【０００６】
【特許文献１】特開２００６−７０６８２号公報
【考案の概要】
【考案が解決しようとする課題】
【０００７】
本考案は、強度が強く、開閉構造を簡素化でき、取り扱いが容易であり、外観の見栄えが美しい回転式ろうそく立て及び回転式ろうそく立てを有する香炉並びに墓を提供することである。
【課題を解決するための手段】
【０００８】
本考案の一実施の形態によって、ろうそくまたは線香を設置する筒状本体部と、墓用の石を用いて形成され、前記筒状本体部を収納し、上部及び下部にそれぞれ穴を有する筐体と、前記筒状本体部の一方に形成された第１の開口部と、前記第１の開口部の対面に形成された第２の開口部と、前記筒状本体部の上面及び下面にそれぞれ固定される固定部材を有する円板と、前記筐体の前記穴にそれぞれ設置される軸受と、前記軸受に前記円板を固定する留め具と、を備えることを特徴とする回転式ろうそく立てが提供される。
【０００９】
前記軸受けの凹部に前記留め具が挿入され、前記軸受の凹部で前記留め具が回転することにより、前記筒状本体部が回転するようにしてもよい。
【００１０】
前記穴で前記軸受が回転することにより、前記筒状本体部が回転するようにしてもよい。
【００１１】
前記円板はステンレスで形成され、らせん状の溝を有するようにしてもよい。
【００１２】
前記円板は前記固定部材を複数有し、前記固定部材が前記筒状本体部の内側に配置されることによって、前記円板を前記筒状本体部に固定するようにしてもよい。
【００１３】
前記筒状本体部の前記第１の開口部からろうそくまたは線香を設置し、前記第２の開口部に空気穴としての所望の模様が形成されるようにしてもよい。
【考案の効果】
【００１４】
本考案によれば、ろうそく立てを墓用の石を用いて作製するため強度が強く、ろうそく立てが回転式であるため開閉構造を簡素化でき、取り扱いが容易であり、外観の見栄えが美しい回転式ろうそく立て及び回転式ろうそく立てを有する香炉並びに墓を提供することができる。
【図面の簡単な説明】
【００１５】
【図１】（ａ）は、本考案の実施の形態に係る墓を示す概略正面図であり、（ｂ）は、本考案の実施の形態に係る墓を示す概略上面図である。
【図２】（ａ）は、本考案の実施の形態に係る回転式ろうそく立ての筐体の概略斜視図であり、（ｂ）は、本考案の実施の形態に係る回転式ろうそく立ての筐体の概略正面図である。
【図３】（ａ）は、本考案の実施の形態に係る回転式ろうそく立てを示す概略斜視図であり、（ｂ）は、本考案の実施の形態に係る回転式ろうそく立ての軸受を示す拡大概略斜視図であり、（ｃ）は、本考案の実施の形態に係る回転式ろうそく立ての筒状本体部を示す概略斜視図であり、（ｄ）は、本考案の実施の形態に係る回転式ろうそく立ての回転機構を備える筒状本体部を示す概略斜視図である。
【図４】（ａ）は、本考案の実施の形態に係る回転式ろうそく立てを示す概略正面図であり、（ｂ）は、本考案の実施の形態に係る回転式ろうそく立ての筒状本体部を示す概略正面図であり、（ｃ）は、本考案の実施の形態に係る回転式ろうそく立ての回転機構を備える筒状本体部を示す概略斜視図である。
【図５】（ａ）は、本考案の実施の形態に係る回転式ろうそく立てを示す概略上面図であり、（ｂ）は、本考案の実施の形態に係る回転式ろうそく立ての筒状本体部を示す概略上面図であり、（ｃ）は、本考案の実施の形態に係る回転式ろうそく立ての回転機構を示す概略上面図である。
【考案を実施するための形態】
【００１６】
以下、本考案の実施の形態を、図面を参照しつつ、説明する。実施の形態において、同一構成要素には同一符号を付け、実施の形態において重複する説明は省略することにする。
【００１７】
本考案の実施の形態においては、まず、墓１００について説明し、次に、墓１００に備える回転式ろうそく立て１１０について説明する。
【００１８】
図１（ａ）は、本考案の実施の形態に係る墓１００を示す概略正面図であり、（ｂ）は、本考案の実施の形態に係る墓１００を示す概略上面図である。図１（ａ）及び（ｂ）に示すように、本考案の実施の形態に係る墓１００は、土台１０１、芝台（四ツ台）１０２、上台１０３、棹石１０４、花立て１０５、線香立て１０６、及び回転式ろうそく立て１１０を備えている。
【００１９】
本考案の実施の形態に係る墓１００の回転式ろうそく立て１１０は、一対の花立て１０５の間に配置されている。また、芝台１０２上に線香立て１０６を配置しているが、回転式ろうそく立て１１０をろうそく立て及び線香立てを有する香炉として用いてもよい。
【００２０】
次に、本考案の実施の形態に係る墓１００の回転式ろうそく立て１１０について説明する。図２（ａ）及び（ｂ）、図３（ａ）〜（ｃ）、図４（ａ）〜（ｃ）、図５（ａ）及び（ｂ）は、図１（ａ）及び（ｂ）に示す回転式ろうそく立て１１０のみを示している。
【００２１】
図２（ａ）は、本考案の実施の形態に係る回転式ろうそく立て１１０の筐体１６０を示す概略斜視図であり、（ｂ）は、本考案の実施の形態に係る回転式ろうそく立て１１０の筐体１６０を示す概略正面図である。図２（ａ）及び（ｂ）に示すように、本考案の実施の形態に係る回転式ろうそく立て１１０の筐体１６０は、その一部をくり抜いたくり抜き部１１５Ｒ及び１１５Ｌを有している。これらくり抜き部１１５Ｒ及び１１５Ｌに筒状本体部１５０（図３参照）が収納される。筐体１６０の上部１１１にはくり抜き部１１５Ｒ及び１１５Ｌに接して第１の穴１１３が形成されて、筐体１１０の下部１１２にはくり抜き部１１５Ｒ及び１１５Ｌに接して第２の穴１１４が形成されている。これら穴１１３及び１１４によって、加工した筒状本体部１５０を回転式ろうそく立て１１０に接合する際に、筒状本体部１５０の中心の位置合わせが容易になり、かつ、筒状本体部１５０の回転を容易にできる（詳細は後述する）。
【００２２】
また、図２（ａ）及び（ｂ）に示すように、本考案の実施の形態に係る回転式ろうそく立て１１０は、墓用の石を回転式ろうそく立て１１０として配置するため筒状にくり抜き加工する。筒状にくり抜くため、完成した回転式ろうそく立て１１０は、回転機構を備える筒状本体部１３０を配置しても軽量化でき、持ち運びが容易になる。ここで、石とは、墓石であり、例えば、庵治石、花岡岩、閃緑岩、斑レイ岩または安山岩などを用いることが好ましい。
【００２３】
図３（ａ）は、本考案の実施の形態に係る回転式ろうそく立て１１０を示す概略斜視図であり、（ｂ）は、本考案の実施の形態に係る回転式ろうそく立ての軸受１４５を示す拡大概略斜視図であり、（ｃ）は、本考案の実施の形態に係る回転式ろうそく立て１１０の筒状本体部１５０を示す概略斜視図であり、（ｄ）は、本考案の実施の形態に係る回転式ろうそく立て１１０の回転機構を備える筒状本体部１３０を示す概略斜視図である。
【００２４】
図３（ａ）は、左側に回転機構を備える筒状本体部１３０を示し、右側に筒状本体部１５０に配置する回転機構１４０を示している。
【００２５】
図３（ａ）に示すように、本考案の実施の形態に係る筒状本体部１５０の回転機構１４０は、円板１４１、円板１４１上に設置された第１の固定部材１４２、第２の固定部材１４３、第３の固定部材１４４、前述したくり抜き部１１５Ｒ及び１１５Ｌに設けられた第２の穴１１４に設置する軸受１４５、円板１４１を固定する留め具１４６を備えている。以下、回転機構１４０は、筒状本体部１５０の上面及び下面に設置するが、下面に設置する場合について説明する。なお、回転機構１４０を筒状本体部１５０の上面に設置する場合と回転機構１４０を筒状本体部１５０の下面に設置する場合は同様であるため、回転機構１４０を筒状本体部１５０の上面に設置する場合の説明は省略する。
【００２６】
本考案の実施の形態に係る回転機構１４０の円板１４１、第１の固定部材１４２、第２の固定部材１４３、第３の固定部材１４４、軸受１４５及び留め具１４６は、材料としてステンレスなどの金属を用いることが好ましい。
【００２７】
図３（ｂ）に示すように、本考案の実施の形態に係る軸受１４５は、凹部１４７を有し、凹部１４７に留め具１４６を挿入している。軸受１４５の凹部１４７で留め具１４６が回転すること、または穴１１３及び１１４で軸受１４５が回転することによって、筒状本体部１５０が回転する。どちらか一方で回転させる場合には、どちらか一方を接着剤等で固定してもよい。
【００２８】
次に、図３（ｃ）を参照して回転機構１４０を設置する筒状本体部１５０について説明する。図３（ｃ）に示すように、本考案の実施の形態に係る筒状本体部１５０は、第１の開口部１１６及び第２の開口部１１７を有している。第１の開口部１１６は、ろうそくまたは線香を出し入れし、水掃除の際に水を排出するための排出口１１８を有している。第２の開口部１１７は、第１の開口部１１６の対面にろうそくに火をつけた際、火が風で消えないようにするため、または、熱気または煙を外部に排出するための模様を備えている。第２の開口部１１７に有する模様は、デザイン性に考慮することが好ましい。なお、第２の開口部１１７は、開口部が単数でも複数でもよい。
【００２９】
次に、図３（ｄ）を参照して回転機構を備える筒状本体部１３０について説明する。図３（ｄ）に示すように、本考案の実施の形態に係る回転機構を備える筒状本体部１３０は、円板１４１上に第１の固定部材１４２、第２の固定部材１４３、第３の固定部材１４４を配置することにより、筒状本体部１５０の内側３点でバランスよく固定できる。固定部材は、筒状本体部１５０の内側３点に配置限定されるわけではなく、バランスよく固定できれば、４点または５点で固定してもよい。さらに、固定部材を接着剤等で固定してもよい。
【００３０】
次に、回転機構１４０を有する筒状本体部１５０を回転式ろうそく立て１１０に設置する方法について説明する。
【００３１】
回転機構を備える筒状本体部１３０を固定するため前述したくり抜き部１１５Ｒ及び１１５Ｌの第１の穴１１３及び第２の穴１１４に軸受１４５を配置する。第１の穴１１３及び第２の穴１１４は、軸受１４５より少し大きいほうが好ましい。この第１の穴１１３及び第２の穴１１４を軸受１４５より少し大きくすることで、回転式ろうそく立て１１０の回転が容易になり、回転機構を備える筒状本体部１３０の中心に位置合わせが容易できる。具体的に軸受１４５より第１の穴１１３及び第２の穴１１４が２ｍｍ程度大きくすることが好ましい。
【００３２】
筒状本体部１５０の中心に位置合わせした後に、留め具１４６で回転機構を備える筒状本体部１３０及び回転式ろうそく立て１１０を固定してもよい。位置合わせした際に、第１の穴１１３及び第２の穴１１４が軸受１４５より大きい場合には固定するため接着剤等を用いてもよい。また、円板１４１には軸受１４５に固定するためのらせん状の溝（ねじ溝）を有している。円板１４１に、らせん状の溝（ねじ溝）を有しているため、留め具１４６で固定できる。
【００３３】
図４（ａ）は、本考案の実施の形態に係る回転式ろうそく立て１１０を示す概略正面図であり、（ｂ）は、本考案の実施の形態に係る回転式ろうそく立て１１０の筒状本体部１５０を示す概略正面図であり、（ｃ）は、本考案の実施の形態に係る回転式ろうそく立て１１０の回転機構を備える筒状本体部１３０を示す概略斜視図である。なお、図４（ａ）〜（ｃ）は回転式ろうそく立て１１０の正面図であり、図３（ａ）〜（ｃ）は回転式ろうそく立て１１０の斜視図である。図４（ａ）〜（ｃ）に示す回転式ろうそく立て１１０及び図３（ａ）〜（ｃ）に示す回転式ろうそく立て１１０は同様の構造を有している。
【００３４】
図４（ａ）は、左側に回転機構を備える筒状本体部１３０を示し、右側に筒状本体部１５０に配置する回転機構１４０を示している。
【００３５】
図４（ａ）に示すように、本考案の実施の形態に係る筒状本体部１５０の回転機構１４０は、円板１４１、円板１４１上に設置された第１の固定部材１４２、第２の固定部材１４３、第３の固定部材１４４、前述したくり抜き部１１５Ｒ及び１１５Ｌに設けられた第２の穴１１４に設置する軸受１４５、円板１４１を固定する留め具１４６を備えている。円板１４１には軸受１４５に固定するためのらせん状の溝（ねじ溝）を有している。
【００３６】
次に、図４（ｂ）を参照して回転機構１４０を設置する筒状本体部１５０について説明する。図４（ｂ）に示すように、本考案の実施の形態に係る筒状本体部１５０は、第１の開口部１１６及び第２の開口部１１７を有している。第１の開口部１１６は、ろうそくまたは線香を出し入れし、水掃除の際に水を排出するための排出口１１８を備えている。第２の開口部１１７は、第１の開口部１１６の対面にろうそくに火をつけた際、火が風で消えないようにするため、または、熱気または煙を外部に排出するための模様を備えている。第２の開口部１１７に有する模様は、デザイン性に考慮することが好ましい。なお、第２の開口部１１７は、開口部が単数でも複数でもよい。
【００３７】
次に、図４（ｃ）を参照して回転機構を備える筒状本体部１３０について説明する。図４（ｃ）に示すように、本考案の実施の形態に係る回転機構を備える筒状本体部１３０は、円板１４１上に第１の固定部材１４２、第２の固定部材１４３、第３の固定部材１４４を配置することにより、筒状本体部１５０の内側３点でバランスよく固定できる。固定部材は、筒状本体部１５０の内側３点に配置限定されるわけではなく、バランスよく固定できれば、４点または５点で固定してもよい。さらに、固定部材を接着剤等で固定してもよい。
【００３８】
図５（ａ）は、本考案の実施の形態に係る回転式ろうそく立て１１０を示す概略上面図であり、（ｂ）は、本考案の実施の形態に係る回転式ろうそく立て１１０の筒状本体部１５０を示す概略上面図であり、（ｃ）は、本考案の実施の形態に係る回転式ろうそく立て１１０の回転機構１４０を示す概略上面図である。ここでは、回転式ろうそく立て１１０、回転機構１４０及び回転機構を備える筒状本体部１３０について前述したので省略する。
【００３９】
このように、本考案の実施の形態に係る回転式ろうそく立て１１０は、ろうそく立てを墓用の石を用いて作製するため強度が強く、ろうそく立てが回転式であるため開閉構造を簡素化でき、取り扱いが容易になる。また、外観の見栄えを美しくすることができる。
【００４０】
本考案の実施の形態に係る回転式ろうそく立て１１０は、図示しないが香炉として用いることもできる。このとき、前述した筒状本体部１５０の第１の開口部１１６を大きくすることで、線香及びろうそくを配置することができる。また、回転式ろうそく立て１１０の上部１１１には、持ち運びを容易にするためにとってなどを形成してもよい。
【符号の説明】
【００４１】
１００…墓、１０１…土台、１０２…芝台（四ツ台）、１０３…上台、１０４…棹台、１０５…花立て、１０６…線香立て、１１０…回転式ろうそく立て、１３０…回転機構を備える筒状本体部、１４０…回転機構、１５０…筒状本体部、１６０…筐体
【図１】
0003154124.tif 000003
【図２】
0003154124.tif 000004
【図３】
0003154124.tif 000005
【図４】
0003154124.tif 000006
【図５】
0003154124.tif 000007
【手続補正書】
【提出日】平成21年7月28日(2009.7.28)
【手続補正１】
【補正対象書類名】実用新案登録請求の範囲
【補正対象項目名】請求項２
【補正方法】変更
【補正の内容】
【請求項２】
前記軸受けの凹部に前記留め具が挿入され、前記軸受の凹部で前記留め具が回転することにより、前記筒状本体部が回転することを特徴とする請求項１に記載の回転式ろうそく立て。
【手続補正２】
【補正対象書類名】実用新案登録請求の範囲
【補正対象項目名】請求項３
【補正方法】変更
【補正の内容】
【請求項３】
前記穴で前記軸受が回転することにより、前記筒状本体部が回転することを特徴とする請求項１又は２に記載の回転式ろうそく立て。